(57)【要約】【課題】  装置コストを増大させることなく、ビデオカメラで撮影したときに、撮影された映像中の液晶表示装置に映し出される画像がちらついて見えてしまうことを防止することができる液晶表示装置を提供する。【解決手段】  液晶表示装置１０は、入力映像信号による画像を表示する液晶パネルと、液晶パネルの背面側に設けられ、該液晶パネルに光を照射する複数のＬＥＤと、液晶パネルの駆動を制御するＬＣＤ−ＴＣＯＮ基板１５と、ＰＷＭ方式で各ＬＥＤの発光輝度を制御するＬＥＤドライバ基板１６とを含み、ＬＣＤ−ＴＣＯＮ基板１５およびＬＥＤドライバ基板１６は、液晶パネルの駆動のタイミングと複数のＬＥＤの駆動のタイミングとを同期させる。【選択図】      図１
2013195825.tif 000002
【特許請求の範囲】
【請求項１】
入力映像信号による画像を表示する液晶パネルと、
前記液晶パネルの背面側に設けられ、該液晶パネルに光を照射する光源と、
液晶パネルの駆動を制御する液晶パネル制御部と、
パルス幅変調方式で前記光源の発光輝度を制御する光源制御部とを含み、
前記液晶パネル制御部および前記光源制御部は、液晶パネルの駆動のタイミングと光源の駆動のタイミングとを同期させることを特徴とする液晶表示装置。
【請求項２】
同期信号を生成し、生成した同期信号を前記液晶パネル制御部および前記光源制御部に出力する同期信号出力部をさらに含み、
前記液晶パネル制御部および前記光源制御部は、前記同期信号出力部から入力される同期信号に基づいて、液晶パネルの駆動のタイミングと光源の駆動のタイミングとを同期させることを特徴とする請求項１に記載の液晶表示装置。
【請求項３】
前記同期信号出力部は、前記同期信号を出力する１つの端子を有し、
該１つの端子を介して出力された同期信号を分岐させて前記液晶パネル制御部および前記光源制御部に入力されるように構成されてなることを特徴とする請求項２に記載の液晶表示装置。
【請求項４】
前記同期信号出力部は、前記同期信号を出力する２つの端子を有し、
該２つの端子を介して出力された各同期信号が前記液晶パネル制御部および前記光源制御部へそれぞれ入力されるように構成されてなることを特徴とする請求項２に記載の液晶表示装置。
【請求項５】
入力映像信号に基づいて液晶パネルの駆動を制御するための液晶制御信号を生成し、生成した液晶制御信号を前記液晶パネル制御部に出力する液晶制御信号出力部をさらに含み、
前記液晶制御信号出力部は、前記液晶制御信号に合わせた同期信号を生成し、生成した同期信号を前記光源制御部へ出力するように構成されてなることを特徴とする請求項１に記載の液晶表示装置。
【請求項６】
前記液晶制御信号出力部は、前記液晶パネル制御部において前記液晶制御信号を処理するために必要な時間だけ遅延させて前記同期信号を前記光源制御部へ出力するように構成されてなることを特徴とする請求項５に記載の液晶表示装置。
【請求項７】
入力映像信号に基づいて液晶パネルの駆動を制御するための液晶制御信号を生成し、生成した液晶制御信号を前記液晶パネル制御部に出力する液晶制御信号出力部をさらに含み、
前記液晶パネル制御部は、前記液晶制御信号出力部から入力される前記液晶制御信号に合わせた同期信号を生成し、生成した同期信号を前記光源制御部へ出力するように構成されてなることを特徴とする請求項１に記載の液晶表示装置。
【発明の詳細な説明】
【技術分野】
【０００１】
本発明は、液晶表示装置に関する。
【背景技術】
【０００２】
放送局のスタジオでモニタとして使用される液晶表示装置に映し出される画像、およびスポーツスタジアムの広告用モニタとして使用される液晶表示装置に映し出される画像をビデオカメラで撮影したり、ビデオカメラによる撮影の際に、駅構内など公共の場所に設置されている液晶表示装置に映し出される画像が映り込んだりする場合がある。このように、画像を表示中の液晶表示装置を撮影した映像を表示装置で再生すると、映像内の液晶表示装置に映し出されている画像の輝度が映像の１フレームごとに変動してしまうことによって、液晶表示装置に映し出されている画像がちらついて見えてしまうという現象が発生する場合がある。
【０００３】
この現象は、ビデオカメラによって撮像された液晶表示装置が、液晶パネルに光を照射するバックライトとしての光源をＰＷＭ（Pulse Width Modulation）調光駆動するように構成されている場合に発生することが知られている。以下、図７を参照して、この現象について説明する。図７は、従来技術に係る液晶表示装置に映し出される画像を、ビデオカメラで撮影した場合の液晶パネル、光源およびビデオカメラの動作タイミングを示す図である。
【０００４】
図７（ａ）は、液晶表示装置に入力される映像信号に含まれる垂直同期信号を示す図であり、隣接するパルスの立上りと立上りの間の期間が、液晶表示装置に映し出される画像の１フレーム期間に相当する。図７（ｂ）は、液晶表示装置において、１フレーム期間に液晶パネルの各画素が光源からの出射光を外部へ透過するタイミング（以下、「開口タイミング」と称する）を示す図であり、ハイレベル期間において、液晶層に電圧が印加され、光源からの出射光が外部へ透過する。
【０００５】
また、図７（ｃ）は、ＰＷＭ調光駆動される光源の点灯／消灯のタイミングを示す図であり、ハイレベル期間が光源の点灯期間に対応し、ローレベル期間が光源の消灯期間に対応している。
【０００６】
従来技術に係る液晶表示装置では、液晶パネルの開口タイミングと光源の駆動タイミングとが同期していないため、図７（ｂ）および図７（ｃ）に示すように、液晶表示装置に入力される映像信号の１フレームごとに、液晶パネルの開口タイミングにおける光源の点灯／消灯の状態が異なってしまっている。
【０００７】
したがって、このような液晶表示装置をビデオカメラで撮影すると、ビデオカメラの１フレームごとに、ビデオカメラのシャッタータイミングに入力される光源の点灯期間のパルス数も異なってしまう。
【０００８】
このように、ビデオカメラの１フレームごとに撮像素子のシャッタータイミングに対して光源の点灯期間のパルス数にばらつきが生じると、撮像素子の露光量が１フレームごとに変動してしまうため、ビデオカメラで撮影された撮像画像の輝度が１フレームごとに変動してしまう。このため、撮影した映像を再生して視聴したときに、映像中の液晶表示装置に映し出される画像がちらついて見えてしまうという問題がある。１／６０秒程度のシャッタースピードが遅いビデオカメラで撮影した場合には、平均化されるためこのような問題は生じにくいが、１／２５０秒よりもシャッタースピードが速いビデオカメラで撮影した場合にこの問題が生ずる。
【０００９】
かかる問題を解決する方法として、光源の点灯／消灯の周波数を増大させる方法が考えられる。しかしながら、光源の点灯／消灯の周波数を増大させる方法を採用するためには、高性能の回路部品を使用する必要があるため、製造コストが増大してしまうという問題がある。さらには、光源の点灯／消灯の周波数を増大すると、液晶表示装置に映し出される画像に色度のずれが発生したり、偽色が発生したりするという問題もある。
【００１０】
たとえば特許文献１には、Ｒ・Ｇ・Ｂの各バックライトの点灯タイミングと前記バックライトごとに設けられ、バックライトからの出射光を透過／遮断する光シャッタの動作タイミングとを制御することにより色彩のバランスを損なわないように工夫されたバックライトに関する技術が開示されているが、前述するような問題点を解決するための技術については何ら開示されていない。
【先行技術文献】
【特許文献】
【００１１】
【特許文献１】特開平１１−３０５２２２号公報
【発明の概要】
【発明が解決しようとする課題】
【００１２】
本発明の目的は、装置コストを増大させることなく、ビデオカメラで撮影したときに、撮影された映像中の液晶表示装置に映し出される画像がちらついて見えてしまうことを防止することができる液晶表示装置を提供することである。
【課題を解決するための手段】
【００１３】
本発明は、入力映像信号による画像を表示する液晶パネルと、
前記液晶パネルの背面側に設けられ、該液晶パネルに光を照射する光源と、
液晶パネルの駆動を制御する液晶パネル制御部と、
パルス幅変調方式で前記光源の発光輝度を制御する光源制御部とを含み、
前記液晶パネル制御部および前記光源制御部は、液晶パネルの駆動のタイミングと光源の駆動のタイミングとを同期させることを特徴とする液晶表示装置である。
【００１４】
また本発明は、同期信号を生成し、生成した同期信号を前記液晶パネル制御部および前記光源制御部に出力する同期信号出力部をさらに含み、
前記液晶パネル制御部および前記光源制御部は、前記同期信号出力部から入力される同期信号に基づいて、液晶パネルの駆動のタイミングと光源の駆動のタイミングとを同期させることを特徴とする。
【００１５】
また本発明は、前記同期信号出力部は、前記同期信号を出力する１つの端子を有し、
該１つの端子を介して出力された同期信号を分岐させて前記液晶パネル制御部および前記光源制御部に入力されるように構成されてなることを特徴とする。
【００１６】
また本発明は、前記同期信号出力部は、前記同期信号を出力する２つの端子を有し、
該２つの端子を介して出力された各同期信号が前記液晶パネル制御部および前記光源制御部へそれぞれ入力されるように構成されてなることを特徴とする。
【００１７】
また本発明は、入力映像信号に基づいて液晶パネルの駆動を制御するための液晶制御信号を生成し、生成した液晶制御信号を前記液晶パネル制御部に出力する液晶制御信号出力部をさらに含み、
前記液晶制御信号出力部は、前記液晶制御信号に合わせた同期信号を生成し、生成した同期信号を前記光源制御部へ出力するように構成されてなることを特徴とする。
【００１８】
また本発明は、前記液晶制御信号出力部は、前記液晶パネル制御部において前記液晶制御信号を処理するために必要な時間だけ遅延させて前記同期信号を前記光源制御部へ出力するように構成されてなることを特徴とする。
【００１９】
また本発明は、入力映像信号に基づいて液晶パネルの駆動を制御するための液晶制御信号を生成し、生成した液晶制御信号を前記液晶パネル制御部に出力する液晶制御信号出力部をさらに含み、
前記液晶パネル制御部は、前記液晶制御信号出力部から入力される前記液晶制御信号に合わせた同期信号を生成し、生成した同期信号を前記光源制御部へ出力するように構成されてなることを特徴とする。
【発明の効果】
【００２０】
本発明によれば、装置コストを増大させることなく、ビデオカメラで撮影したときに、撮影された映像中の液晶表示装置に映し出される画像がちらついて見えてしまうことを防止することができる。
【図面の簡単な説明】
【００２１】
【図１】本発明の一実施形態に係る液晶表示装置１０の構成を示すブロック図である。
【図２】本実施形態に係る液晶表示装置１０による映像表示動作の処理手順を示すフローチャートである。
【図３】本実施形態に係る液晶表示装置１０に映し出される画像を、ビデオカメラで撮影した場合の液晶パネル、光源およびビデオカメラの動作タイミングを示す図である。
【図４】本発明の他の実施形態に係る液晶表示装置１０Ａの構成を示すブロック図である。
【図５】本発明のさらに他の実施形態に係る液晶表示装置１０Ｂの構成を示すブロック図である。
【図６】本発明のさらに他の実施形態に係る液晶表示装置１０Ｃの構成を示すブロック図である。
【図７】従来技術に係る液晶表示装置に映し出される画像を、ビデオカメラで撮影した場合の液晶パネル、光源およびビデオカメラの動作タイミングを示す図である。
【発明を実施するための形態】
【００２２】
図１は、本発明の一実施形態に係る液晶表示装置１０の構成を示すブロック図である。液晶表示装置１０は、液晶パネル、ソースドライバおよびゲートドライバを有するＬＣＤ（Liquid Crystal Display）モジュール１１と、輝度を調節可能な光源を備え、液晶パネルに光を照射するバックライトモジュール１２と、外部の装置などから入力される映像信号に所定の処理を行う映像信号処理基板１３と、映像信号処理基板１３によって所定の処理が行われた映像信号に基づいて、液晶パネルを制御するのに適したＬＣＤ制御信号を生成するとともに、バックライト制御用信号を生成する液晶パネル・バックライト制御基板１４と、液晶パネル・バックライト制御基板１４から送信されるＬＣＤ制御信号に基づいて、液晶パネルの駆動を制御するＬＣＤ−ＴＣＯＮ（Timing Controller）基板１５と、液晶パネル・バックライト制御基板１４から送信されるバックライト制御用信号に基づいて、バックライトモジュール１２における光源の駆動を制御するＬＥＤドライバ基板１６とを含んで構成される。
【００２３】
ＬＣＤモジュール１１における液晶パネルは、アクティブマトリクス駆動方式の液晶パネルであり、絶縁性を有する透明のアクティブマトリクス基板と、アクティブマトリクス基板に対向して配置される絶縁性を有する透明の対向基板と、アクティブマトリクス基板と対向基板との間に設けられた液晶層とを備え、マトリクス状に配置された複数の画素からなる表示領域を有している。
【００２４】
アクティブマトリクス基板は、前記表示領域に、複数の表示用配線として、互いに平行に延びる複数のゲートバスラインと、各ゲートバスラインに交差する方向に互いに平行に延びる複数のソースバスラインとが設けられ、各ゲートバスラインと各ソースバスラインとの交差部付近には、これら各ゲートバスラインおよび各ソースバスラインに接続されたスイッチング素子としての薄膜トランジスタ（Thin Film Transistor；以下、「ＴＦＴ」と略す）がそれぞれ設けられており、それら各ＴＦＴには各画素に対応してマトリクス状に設けられた複数の画素電極がそれぞれ接続されている。
【００２５】
一方、対向基板は、前記表示領域に、各画素電極に重なり合うように複数のカラーフィルタが設けられ、これら各カラーフィルタを区画するようにブラックマトリクスが設けられている。そして、それら各カラーフィルタおよびブラックマトリクスを覆うように共通電極が設けられている。
【００２６】
また、ゲートドライバは、液晶パネルにおける複数のゲートバスラインを駆動するためのＬＳＩ（Large Scale Integration）であり、複数のゲートバスラインを順に選択する駆動回路である。またソースドライバは、液晶パネルにおける複数のソースバスラインを駆動するためのＬＳＩであり、各ソースバスラインに輝度に応じた電圧を印加する駆動回路である。
【００２７】
バックライトモジュール１２は、液晶パネルの背面側の表面に対向するように配置され、前記光源から出射される光を液晶パネルの表示領域に照射するように構成されている。本実施形態では、光源は、複数のＬＥＤ（Light Emitting Diode）を、液晶パネルの表面に沿って平面的に、たとえばマトリクス状に配列することによって構成されている。
【００２８】
より詳細には、バックライトモジュール１２は、液晶パネルの表示領域を複数のエリアに分割した分割エリアごとに複数のＬＥＤをグループ分けし、映像信号に応じて分割エリアごとにＬＥＤを点灯制御することにより、分割エリアごとに明るさの制御ができるように構成されている。すなわち、ローカルディミング制御可能に構成されている。
【００２９】
映像信号処理基板１３は、中央処理装置（Central Processing Unit；以下「ＣＰＵ」という）２１と、リードオンリーメモリ（Read Only Memory；以下「ＲＯＭ」という）２２と、ランダムアクセスメモリ（Random Access Memory；以下「ＲＡＭ」という）２３とを含んで構成される。
【００３０】
ＣＰＵ２１は、ＲＯＭ２２に記憶されるプログラムを実行することによって、映像信号処理基板１３に入力される映像信号に対してスケーリング処理を行って、後段の液晶パネル・バックライト制御基板１４へ出力する。スケーリング処理は、映像信号に含まれる映像データを、液晶パネルのサイズやフレームレートに合わせて修正する処理のことである。
【００３１】
ＲＯＭ２２は、ＣＰＵ２１によって実行されるプログラム、および初期設定のための情報を記憶し、たとえばフラッシュメモリなどの不揮発性の書き換え可能な半導体メモリによって構成される。ＲＡＭ２３は、たとえば静的ランダムアクセスメモリ（Static Random Access Memory；以下「ＳＲＡＭ」という）などの書き換え可能な半導体メモリによって構成される。ＲＡＭ２３は、ＣＰＵ２１がプログラムを実行するために必要な情報を記憶する。
【００３２】
液晶パネル・バックライト制御基板１４は、サブＣＰＵ３１と、ＴＣＯＮ３２と、ＲＯＭ３３と、ＲＡＭ３４とを含んで構成される。サブＣＰＵ３１は、ＲＯＭ３３に記憶されるプログラムを実行することによって、ＴＣＯＮ３２と協働して、映像信号処理基板１３から入力されるスケーリング処理後の映像信号に基づいて、液晶パネルの駆動を制御するためのＬＣＤデータを含むＬＣＤ制御信号を生成し、そのＬＣＤ制御信号をＬＣＤ−ＴＣＯＮ基板１５へ出力するとともに、バックライトモジュール１２に搭載される各ＬＥＤの駆動を制御するためのＬＥＤ制御信号を生成し、そのＬＥＤ制御信号をＬＥＤドライバ基板１６へ出力する。
【００３３】
本実施形態に係る液晶表示装置１０は、前記のようにローカルディミング制御可能に構成されているので、液晶パネル・バックライト制御基板１４からＬＥＤドライバ基板１６へ出力されるＬＥＤ制御信号には、各分割エリアの明るさの階調などを含む点灯制御データが含まれている。
【００３４】
ＲＯＭ３３は、サブＣＰＵ３１によって実行されるプログラム、および初期設定のため情報を記憶し、たとえばフラッシュメモリなどの不揮発性の書き換え可能な半導体メモリによって構成される。ＲＡＭ３４は、たとえばＳＲＡＭなどの書き換え可能な半導体メモリによって構成される。ＲＡＭ３４は、サブＣＰＵ３１がプログラムを実行するために必要な情報を記憶する。
【００３５】
ＬＣＤ−ＴＣＯＮ基板１５は、液晶パネル・バックライト制御基板１４から入力されるＬＣＤ制御信号に基づいて、各種のドライバ制御信号（タイミングパルス）を生成し、該ドライバ制御信号を画像データとともにソースドライバおよびゲートドライバへ出力する。一方、ＬＥＤドライバ基板１６は、液晶パネル・バックライト制御基板１４から入力されるＬＥＤ制御信号に基づいて、分割エリアごとにグループ分けされた各ＬＥＤ群をそれぞれパルス幅変調（Pulse Width Modulation；以下、「ＰＷＭ」と略す）調光制御するためのＰＷＭ信号を生成して、生成したＰＷＭ信号をバックライトモジュール１２の各ＬＥＤ基板へ出力する。
【００３６】
本実施形態に係る液晶表示装置１０では、液晶パネル・バックライト制御基板１４のサブＣＰＵ３１は、映像信号処理基板１３から入力される映像信号に含まれる垂直同期信号に基づいて、ＬＣＤ制御信号に合わせた垂直同期信号、すなわち入力される映像信号に含まれる垂直同期信号の１フレーム期間と同一の１フレーム期間を有する垂直同期信号を生成し、生成した垂直同期信号を、ＬＣＤ−ＴＣＯＮ基板１５およびＬＥＤドライバ基板１６へ入力するように構成されている。
【００３７】
具体的には、図１に示すように、生成した垂直同期信号を、液晶パネル・バックライト制御基板１４における１つの出力端子から出力し、途中で分岐させてＬＣＤ−ＴＣＯＮ基板１５およびＬＥＤドライバ基板１６へ入力するように構成されている。
【００３８】
以下、本実施形態に係る液晶表示装置１０の動作を、図２を参照して説明する。図２は、本実施形態に係る液晶表示装置１０による映像表示動作の処理手順を示すフローチャートである。液晶表示装置１が起動し、映像信号が映像信号処理基板１３に入力されると処理が開始され、ステップｓ１に進む。
【００３９】
ステップｓ１で、映像信号処理基板１３のＣＰＵ２１は、入力された映像信号に対してスケーリング処理を行い、スケーリング処理が行われた映像信号を液晶パネル・バックライト制御基板１４へ出力する。映像信号が液晶パネル・バックライト制御基板１４へ出力されると、ステップｓ２に進む。
【００４０】
ステップｓ２で、液晶パネル・バックライト制御基板１４のサブＣＰＵ３１は、ＬＣＤ制御信号を生成してＬＣＤ−ＴＣＯＮ基板１５に出力するとともに、ＬＥＤ制御信号を生成してＬＥＤドライバ基板１６に出力する。さらには、ＬＣＤ制御信号に合わせた垂直同期信号を生成し、液晶パネル・バックライト制御基板１４における１つの出力端子を介して、ＬＣＤ−ＴＣＯＮ基板１５およびＬＥＤドライバ基板１６のそれぞれに出力する。各信号が生成・出力されると、ステップｓ３に進む。
【００４１】
ステップｓ３で、ＬＣＤ−ＴＣＯＮ基板１５は、液晶パネル・バックライト制御基板１４から入力されるＬＣＤ制御信号に基づいて、ＬＣＤモジュール１１のソースドライバおよびゲートドライバの駆動を制御し、またＬＥＤドライバ基板１６は、液晶パネル・バックライト制御基板１４から入力されるＬＥＤ制御信号に基づいて、バックライトモジュール１２に搭載される各ＬＥＤをＰＷＭ信号によって調光制御する。
【００４２】
このとき、ＬＣＤ−ＴＣＯＮ基板１５は、液晶パネル・バックライト制御基板１４から入力される垂直同期信号に同期して、ソースドライバおよびゲートドライバへ画像データおよび各種のドライバ制御信号を出力し、ＬＥＤドライバ基板１６は、液晶パネル・バックライト制御基板１４から入力される垂直同期信号の１フレーム期間の開始タイミングと、ＰＷＭ信号の１周期の開始タイミングとが一致するように、各ＬＥＤの駆動を制御する。
【００４３】
図３は、本実施形態に係る液晶表示装置１０に映し出される画像を、ビデオカメラで撮影した場合の液晶パネル、光源およびビデオカメラの動作タイミングを示す図である。
【００４４】
図３（ａ）は、液晶表示装置１０に入力される映像信号に含まれる垂直同期信号を示す図であり、隣接するパルスの立上りと立上りの間の期間が、液晶表示装置１０の液晶パネルに映し出される画像の１フレーム期間に相当する。図３（ｂ）は、液晶表示装置１０において、１フレーム期間に液晶パネルの各画素が光源からの出射光を外部へ透過するタイミング（以下、「開口タイミング」と称する）を示す図であり、ハイレベル期間において、液晶層に電圧が印加され光源からの出射光が外部へ透過する。
【００４５】
また、図３（ｃ）は、ＰＷＭ信号によって調光駆動されるＬＥＤの点灯／消灯のタイミングを示す図であり、ハイレベル期間がＬＥＤの点灯期間に対応し、ローレベル期間がＬＥＤの消灯期間に対応している。
【００４６】
一実施例を挙げると、液晶表示装置１０に入力される映像信号に含まれる垂直同期信号の周波数は６０Ｈｚ、すなわち１フレーム期間は１６．７ミリ秒であり、液晶パネルの開口タイミングの期間は８．３ミリ秒であり、ＬＥＤに入力されるＰＷＭ信号の１周期は１．３ミリ秒である。
【００４７】
本実施形態によれば、前記のように、ＬＣＤ−ＴＣＯＮ基板１５とＬＥＤドライバ基板１６とが、液晶パネル・バックライト制御基板１４から入力される垂直同期信号によって同期して処理を行うので、図３（ｂ）および図３（ｃ）に示すように、液晶パネルの開口タイミングにおけるＬＥＤの点灯／消灯の状態が、液晶表示装置１０に入力される映像信号の１フレームごとに常に一致する。
【００４８】
したがって、このような液晶表示装置１０をビデオカメラを用いて撮影すると、ビデオカメラのシャッタータイミングに入力されるＬＥＤの点灯期間のパルス数を、ビデオカメラの１フレームごとに常に等しくすることができる。
【００４９】
このように、ビデオカメラの１フレーム期間のシャッタータイミングに対する点灯期間のパルス数を常に等しくすることができるので、撮像素子の露光量が１フレームごとに変動することが防止され、ビデオカメラで撮影された撮像画像の輝度を常に等しくすることができる。したがって、装置コストを増大させることなく、ビデオカメラで撮影したときに、撮影された映像中の液晶表示装置１０に映し出される画像がちらついて見えてしまうことを防止することができる。
【００５０】
なお、液晶パネル・バックライト制御基板１４からＬＣＤ−ＴＣＯＮ基板１５へ入力されるＬＣＤデータにも垂直同期信号は含まれている。しかしながら、ＬＣＤ−ＴＣＯＮ基板１５においてＬＣＤデータに含まれる垂直同期信号を取り出すためには、パケット化されているデータをデコードする必要がある。そこで、垂直同期信号をＬＥＤドライバ基板１６にも入力する必要があることから、本実施形態では、液晶パネル・バックライト制御基板１４において垂直同期信号を生成し、生成した垂直同期信号を、ＬＣＤ−ＴＣＯＮ基板１５とＬＥＤドライバ基板１６とへ分岐して入力することによって、デコードの処理に要する手間を省いている。
【００５１】
上記の実施形態に係る液晶表示装置１０では、ＬＣＤ−ＴＣＯＮ基板１５とＬＥＤドライバ基板１６とは、液晶パネル・バックライト制御基板１４における１つの出力端子を介して出力される垂直同期信号に基づいて、図３に示すように互いに同期して動作を行うように構成されているが、これに限らず、他の方法で互いに同期して動作を行うように構成されてもよい。
【００５２】
図４は、本発明の他の実施形態に係る液晶表示装置１０Ａの構成を示すブロック図である。本実施形態に係る液晶表示装置１０Ａは、前記の実施形態に係る液晶表示装置１０とは異なり、ローカルディミング制御可能に構成されておらず、液晶パネル・バックライト制御基板１４が設けられていない点で液晶表示装置１０と構造が異なるが、他の構造については液晶表示装置１０と同様に構成されるため、同一の構成については同一の参照符を付して説明する。
【００５３】
本実施形態に係る液晶表示装置１０Ａでは、映像信号処理基板１３のＣＰＵ２１が、ＲＯＭ２２に記憶されるプログラムを実行することによって、映像信号処理基板１３に入力される映像信号に基づいて、液晶パネルの駆動を制御するためのＬＣＤデータを含むＬＣＤ制御信号を生成し、そのＬＣＤ制御信号をＬＣＤ−ＴＣＯＮ基板１５へ出力するとともに、バックライトモジュール１２に搭載される各ＬＥＤの駆動を制御するためのＬＥＤ制御信号を生成し、そのＬＥＤ制御信号をＬＥＤドライバ基板１６へ出力する。このＬＥＤ制御信号には、ＰＷＭ信号のデューティ比および電流値などのバックライト制御データが含まれている。
【００５４】
映像信号処理基板１３のＣＰＵ２１は、さらに、ＬＣＤ制御信号に合わせた垂直同期信号を生成し、生成した垂直同期信号を、映像信号処理基板１３における２つの出力端子から出力し、ＬＣＤ−ＴＣＯＮ基板１５およびＬＥＤドライバ基板１６へ入力するように構成されている。
【００５５】
前記の実施形態に係る液晶表示装置１０では、１つの出力端子を介して出力される垂直同期信号がＬＣＤ−ＴＣＯＮ基板１５およびＬＥＤドライバ基板１６へ入力されていたが、本実施形態のように、２つの出力端子からそれぞれ出力される垂直同期信号を、ＬＣＤ−ＴＣＯＮ基板１５およびＬＥＤドライバ基板１６へそれぞれ入力させるように構成してもよい。このように構成した場合であっても、前記の実施形態と同様の効果を奏する。
【００５６】
図５は、本発明のさらに他の実施形態に係る液晶表示装置１０Ｂの構成を示すブロック図である。本実施形態に係る液晶表示装置１０Ｂは、前記の実施形態に係る液晶表示装置１０Ａと同様に構成されるため、同一の構成については同一の参照符を付し、重複する説明については省略する。
【００５７】
前記の実施形態に係る液晶表示装置１０Ａでは、映像信号処理基板１３において生成された垂直同期信号を、ＬＣＤ−ＴＣＯＮ基板１５およびＬＥＤドライバ基板１６のそれぞれへ出力するように構成されていたが、本実施形態に係る液晶表示装置１０Ｂでは、映像信号処理基板１３のＣＰＵ２１は、ＬＶＤＳ（Low Voltage Differential Signaling）、ｍｉｎｉ−ＬＶＤＳおよびＲＳＤＳ（Reduced Swing Differential Signaling）などによって、液晶パネルの駆動を制御するためのＬＣＤデータを含むＬＣＤ制御信号をＬＣＤ−ＴＣＯＮ基板１５へ伝送するとともに、入力される映像信号に含まれる垂直同期信号の１フレーム期間と同一の１フレーム期間を有する垂直同期信号を生成し、生成した垂直同期信号を、ＬＣＤ制御信号に含まれる垂直同期信号に同期してＬＥＤドライバ基板１６へ出力するように動作する。このように構成した場合であっても、前記の実施形態と同様の効果を奏する。
【００５８】
また、ＬＣＤ−ＴＣＯＮ基板１５において行われるＬＣＤ制御信号のデコード処理およびその他の内部処理、ならびに液晶パネルにおける表示の遅延を考慮する場合には、映像信号処理基板１３からＬＥＤドライバ基板１６へ垂直同期信号を出力するタイミングを予め遅延させて出力することで、ビデオカメラの１フレーム期間のシャッタータイミングに対する点灯期間のパルス数を常に確実に等しくすることができる。
【００５９】
図６は、本発明のさらに他の実施形態に係る液晶表示装置１０Ｃの構成を示すブロック図である。本実施形態に係る液晶表示装置１０Ｃは、前記の実施形態に係る液晶表示装置１０Ａと同様に構成されるため、同一の構成については同一の参照符を付し、重複する説明については省略する。
【００６０】
本実施形態に係る液晶表示装置１０Ｃでは、ＬＣＤ−ＴＣＯＮ基板１５において、ＬＶＤＳ、ｍｉｎｉ−ＬＶＤＳおよびＲＳＤＳなどによって映像信号処理基板１３から伝送されるＬＣＤ制御信号に基づいて生成された垂直同期信号を、ＬＣＤ−ＴＣＯＮ基板１５がＬＥＤドライバ基板１６へ出力するように構成されている。
【００６１】
これにより、ＬＣＤ−ＴＣＯＮ基板１５からＬＣＤモジュール１１へ画像データや各種のドライバ制御信号を出力するタイミングで、液晶パネルと各ＬＥＤとを同期制御することができるので、ビデオカメラの１フレーム期間のシャッタータイミングに対する点灯期間のパルス数を常に確実に等しくすることができる。
【符号の説明】
【００６２】
１０  液晶表示装置
１１  ＬＣＤモジュール
１２  バックライトモジュール
１３  映像信号処理基板
１４  液晶パネル・バックライト制御基板
１５  ＬＣＤ−ＴＣＯＮ基板
１６  ＬＥＤドライバ基板
【図１】
2013195825.tif 000003
【図２】
2013195825.tif 000004
【図３】
2013195825.tif 000005
【図４】
2013195825.tif 000006
【図５】
2013195825.tif 000007
【図６】
2013195825.tif 000008
【図７】
2013195825.tif 000009